(57)【要約】【課題】光学保存装置のコピー防止方法の提供。【解決手段】  本発明は一種の光学保存装置のコピー防止方法に係り、光学保存装置上に少なくとも一つの光線変化を形成する偏光層を設置し、そのうち、該光学保存装置は基板層を具え、並びに該基板層の表面にオリジナルデータコードを具えたデータ構造層が形成され、別にデータ構造層表面に偏光層が形成され、該偏光層の外部に引っ掻き防止の保護層が設けられる。光学保存装置が光学読取り装置によりデータ構造層にアクセスされる時、偏光層がデータ構造層と光学読取り装置の間に介在して光線照射に影響を与え、これにより光学アクセスされた上述のデータ構造層のオリジナルデータコードを改変して実体データコードとなす。本発明は光学保存装置上に偏光層を設計することで光学読取り装置の取得するデータコードを改変し、これにより、光学保存装置の合法性を判断し、並びに悪意のあるユーザーによる違法コピーを防ぐ。【選択図】図２
2014002828.tif 000002
【特許請求の範囲】
【請求項１】
光学保存装置のコピー防止方法において、光学保存装置上に、光線変化を形成する少なくとも一つの偏光層が設置され、上述の光学保存装置は基板層を具え、並びに上述の基板層の表面に、オリジナルデータコードを具えたデータ構造層が設置され、別に上述のデータ構造層の表面に、上述の偏光層が形成され、上述の偏光層の外部に引っ掻き防止の保護層が設けられ、上述の光学保存装置に光学読取り装置が組み合わされて、該光学読取り装置が上述のデータ構造層にアクセスする時、上述の偏光層が上述のデータ構造層と上述の光学読取り装置の間に介在して光線照射に影響を与え、これにより光学アクセスされた上述のデータ構造層のオリジナルデータコードを改変して別の実体データコードを形成することを特徴とする、光学保存装置のコピー防止方法。
【請求項２】
請求項１記載の光学保存装置のコピー防止方法において、上述の偏光層はホトセンシティブ塗料或いは光減衰性塗料のいずれ一種の永久性変化塗料が採用されることを特徴とする、光学保存装置のコピー防止方法。
【請求項３】
請求項２記載の光学保存装置のコピー防止方法において、上述の光学読取り装置は上述の偏光層が変化する設定読み取り回数を未超過である時、上述の光学読取り装置はオリジナルデータコードを取得し、並びに上述の光学保存装置が合法データであると判断することを特徴とする、光学保存装置のコピー防止方法。
【請求項４】
請求項２記載の光学保存装置のコピー防止方法において、上述の光学読取り装置は上述の偏光層が変化する設定読み取り回数を超過した時、上述の偏光層が上述のオリジナルデータコードを永久的に実体データコードに変換し、並びに上述の光学読取り装置に上述の実体データコードを取得させて、上述の光学読取り装置が上述の光学保存装置が違法データであると判断することを特徴とする、光学保存装置のコピー防止方法。
【請求項５】
請求項１記載の光学保存装置のコピー防止方法において、上述の偏光層は周期性の一時性変化塗料を採用することを特徴とする、光学保存装置のコピー防止方法。
【請求項６】
請求項５記載の光学保存装置のコピー防止方法において、上述の光学読取り装置は上述の偏光層が変化する設定読み取り回数を未超過である時、上述の光学読取り装置はオリジナルデータコードを取得し、並びに上述の光学保存装置が違法データであると判断することを特徴とする、光学保存装置のコピー防止方法。
【請求項７】
請求項５記載の光学保存装置のコピー防止方法において、上述の光学読取り装置は上述の偏光層が変化する設定読み取り回数を超過した時、上述の偏光層が上述のオリジナルデータコードを一時的に実体データコードに変換し、並びに上述の光学読取り装置に上述の実体データコードを取得させて、上述の光学読取り装置が上述の光学保存装置が合法データであると判断することを特徴とする、光学保存装置のコピー防止方法。
【請求項８】
請求項７記載の光学保存装置のコピー防止方法において、上述の光学保存装置は、設定時間内に再度光線投射がなければ、上述の実体データコードを上述のオリジナルデータコードに回復させることを特徴とする、光学保存装置のコピー防止方法。
【請求項９】
請求項１記載の光学保存装置のコピー防止方法において、上述の偏光層は、スプレー、貼り付け或いはスパッタのいずれかで形成されることを特徴とする、光学保存装置のコピー防止方法。
【請求項１０】
請求項１記載の光学保存装置のコピー防止方法において、上述の光学保存装置は、ＣＤ、ＶＣＤ、ＤＶＤ、ＥＶＤ、ＦＶＤ、ＨＶＤ、ＶＭＤ、ＵＭＤ或いはＢＤのそのうちいずれかの光学保存ディスク規格とされ、且つ上述の偏光層は上述のデータ構造層と保護層の間の、少なくとも一つの局部或いは全部の領域に設置されることを特徴とする、光学保存装置のコピー防止方法。
【発明の詳細な説明】
【技術分野】
【０００１】
本発明は一種の、ＣＤ、ＶＣＤ、ＤＶＤ、ＢＤ等の光学保存ディスクに応用されるコピー防止技術に係り、特に、一種の光学保存ディスク上にホトセンシティブ、光減衰性、或いは周期性偏光材料を添加することにより、光学読取り装置によるデータコード読取り結果に影響を与えるコピー防止方法に関する。
【背景技術】
【０００２】
光学保存ディスクが出現してからすでに１５年以上経ち、ユーザーの合法コピーの要求もまた各国の法律が許可するユーザーの合法使用権利の範囲で保障されている。しかし、いわゆる合法コピーは、多くの違法コピーを誘発し、多くの著作権者の損失を形成している。
【０００３】
過去十年来、多くのコピー防止技術が発表されており、多くのコピー防止技術は、主に、ディスク表面に破壊を形成し、ディスク規格から発展させたロジック性破壊、或いは製造過程により発生する実体性破壊のいずれであっても、現在紙上には、すでに特殊なコピープログラムが出現しており、ディスクドライブリセット時間或いは対比性の実際の読取時間により、いわゆるロジック性破壊或いは実体性破壊を回避できるため、実際にコピー行為を防止することはできない。
【０００４】
このほか、伝統的に採用されている暗号化行為に、ロジック性破壊と実体性破壊を組合せ、さらにその技術より発生した積層技術もある。現在はいずれもプログラムを利用した手段により簡単にコピーできる。すなわち、不肖な使用者が真にコピープログラムを必要とすれば、いくら現行の著作権法がディスアセンブラ或いはリバースエンジニアリングを禁止しようと、コピーを完全に防ぐことは難しい。
【０００５】
国際的な企業では、非正規ディスク記録方式を利用し、並びに非正規ディスクドライブで「ユニークマーク（ｕｎｉｑｕｅ  ｍａｒｋ）」を読み取り、すなわち、ディスアセンブラ或いはリバースエンジニアリングに遭遇し、最終的にファームウエア或いはプラグイン方式でクラックする。事実上、「ユニークマーク」はエラーの思惟ではなく、「非正規ディスイクドライブ」がもともと読み取れるものであり、クラックする者は読取りを省略する方式により、クラックを達成する。
【０００６】
もし実際に「ユニークマーク」がディスクごとに異なっていて、正確に「ユニークマーク」を正確に読み取らなければデコード目的を達成できないなら、外付けを用いようと或いは読取りを省略しようと、その難度は十分に高い。違法コピーの状況は大幅に改善され得る。
【０００７】
現在紙上にある全てのコピープログラム或いは装置は、いずれもスピーディーにディスク上の各種問題を判読でき、加えて、ディスクドライブ技術の進歩により、これまで利用されていた「実体トラック破壊」が発生する保護行動は、ディスクの実際のリセットの速度が十分に速いので、どのようなプログラムでも実体破壊を検出できない。偽造されたディスクは、依然としてもともと同じ結果を読み取れる。これを鑑み、新規に一種の光学保存装置のコピー防止方法を創造することで現在の違法コピーがはびこる状況を改善する必要がある。
【発明の概要】
【発明が解決しようとする課題】
【０００８】
本発明の主要な目的は、一種の光学保存装置のコピー防止方法を提供することにあり、それは、光学保存ディスク上に偏光構造が設けられ、これにより、「重複読み取りで、内容が異なる」機能を達成し、それは市販されている「一回のみ書込み可能」或いは「重複書込み可能」の光学保存ディスクとは完全に異なり、どのようなコピー法であっても新たにこのような特性を形成できず、有効に創作者の著作権を保護できる方法であるものとする。
【０００９】
本発明の次の目的は、光学保存ディスクを生産する時に、データ構造表面にホトセンシティブ、光減衰性の永久性偏光材料を添加することにより、読み取りをするデータコードに影響を与え、光学保存装置が合法的に正規版を使用しているか否か」を判読することにある。
【００１０】
本発明のもう一つの目的は、光学保存ディスクを生産する時に、データ構造表面に周期性の一時的な偏光材料を添加することにより、読み取りをするデータコードに影響を与え、悪意のあるユーザーによる光学保存装置の違法コピーを防ぐ。
【課題を解決するための手段】
【００１１】
上述の目的を達成するため、本発明は光学保存装置上に、光線変化を形成する少なくとも一つの偏光層を設置する。上述の光学保存装置は基板層を具え、並びに該基板層の表面にオリジナルデータコードを具えたデータ構造層が形成されている。また該データ構造層表面に上述の偏光層が形成され、該偏光層の外部にさらに、上述の偏光層とデータ構造層の引っ掻き防止の保護層が設けられる。上述の光学保存装置に光学読取り装置が組み合わされて、上述のデータ構造層にアクセスされる時、上述の偏光層が上述のデータ構造層と上述の光学読取り装置の間に介在して光線照射に影響を与えることにより、光学アクセスされた上述のデータ構造層のオリジナルデータコードが改変され別の実体データコードが形成される。
【００１２】
そのうち、上述の光学保存装置は、ＣＤ、ＶＣＤ、ＤＶＤ、ＥＶＤ、ＦＶＤ、ＨＶＤ、ＶＭＤ、ＵＭＤ或いはＢＤのそのうちいずれかの光学保存ディスク規格とされる。上述の偏光層はスプレー、貼り付け、或いはスパッタのいずれか一種類の方式で形成され、上述の偏光層は上述のデータ構造層の全部領域を密封する。
【００１３】
しかし、不肖のユーザーが簡単には上述の偏光層設計及び位置を知ることができないように、上述の偏光層はまた上述のデータ構造層の局部領域上に設置可能であり、上述の局部領域は、単一ブロックを採用できるほか、複数の非連続状態の局部領域を採用できる。
【００１４】
実行可能な実施例中、上述の偏光層は、設定読み取り回数を有する永久性ホトセンシティブ塗料或いは光減衰性塗料のいずれかが採用される。そのうち、上述の光学読取り装置が光学保存装置を読み取ってオリジナルデータコードを獲得する時、上述の光学保存装置が合法データであると判断する。ただし、もし、上述の光学読取り装置が光学保存装置を読み取って実体データコードを獲得する時は、上述の光学保存装置は違法データであると判断する。
【００１５】
別の実行可能な実施例中、上述の偏光層は、設定読み取り回数を有するテンポラリー周期性塗料が採用される。そのうち、上述の光学読取り装置が直接上述の光学保存装置を読み取ってオリジナルデータコードを獲得する時は、上述の光学保存装置は違法データであると判断する。ただし、もし上述の光学読取り装置が複数回重複して上述の光学保存装置を読み取って実体データコードを獲得する時は、上述の光学保存装置は合法データであると判断する。このほか、上述の光学保存装置は設定時間内に再び光線照射がない時、上述の実体データコードは上述のオリジナルデータコードに回復する。
【発明の効果】
【００１６】
本発明の特徴は、伝統的なコピープログラムがいずれも毎回読み取ったデータ結果を忠実にコピーディスク中に書き込むことを鑑み、光学保存装置中に偏光構造を設計することで光線照射に影響を与え、これによりディスク読取り装置が重複して読み取る状況で、異なるデータ内容を取得できるようにする。これにより、不肖なユーザーは、使用するコピープログラムが特殊設計のオリジナルプログラムでなければ、重複して読み取るどの指定されたセクションが保護領域であるかがわからず、当然コピーされたディスクは実行不能である。すなわち、判別プログラムは十分に忠実にその他のディスク中にコピーされ、依然として実行されるディスクがオリジナルのディスクではないことが十分にわかる。
【図面の簡単な説明】
【００１７】
【図１】本発明の光学保存装置に光学読取り装置が組み合わされて使用される表示図である。
【図２】本発明の光学保存装置の構造層の好ましい実施例の断面図である。
【図３】本発明のコピー防止方法の第１の好ましい実施例のステップフローチャートである。
【図４】本発明のコピー防止方法の第２の好ましい実施例のステップフローチャートである。
【図５Ａ】本発明の偏光層が光学保存装置上の異なる領域に設けられる表示図である。
【図５Ｂ】本発明の偏光層が光学保存装置上の異なる領域に設けられる表示図である。
【図５Ｃ】本発明の偏光層が光学保存装置上の異なる領域に設けられる表示図である。
【図６Ａ】本発明の光学保存装置の偏光層がデータコードを改変する表示図である。
【図６Ｂ】本発明の光学保存装置の偏光層がデータコードを改変する表示図である。
【発明を実施するための形態】
【００１８】
本発明の技術内容、構造特徴、達成する目的を詳細に説明するため、以下に実施例を挙げ並びに図面を組み合わせて説明する。
【００１９】
図１及び図２を参照されたい。本発明の光学保存装置のコピー防止方法は、光学保存装置１０上に少なくとも一つの、光線変化を形成する偏光層１１を設置し、これにより、光学保存装置１０が光学読取り装置２０により読み取られる時、上述の偏光層１１が上述の光学保存装置１０のデータ構造層１２と上述の光学読取り装置２０の読み取りヘッド２１の間に位置する。
【００２０】
図示される好ましい実施例において、上述の光学保存装置１０はＣＤ（Ｃｏｍｐａｃｔ  Ｄｉｓｃ）、ＶＣＤ（Ｖｉｄｅｏ  Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＥＶＤ（Ｅｎｈａｎｃｅｄ  Ｖｅｒｓａｔｉｌｅ  Ｄｉｓｃ）、ＦＶＤ（Ｆｏｒｗａｒｄ  Ｖｅｒｓａｔｉｌｅ  Ｄｉｓｃ）、ＨＶＤ（Ｈｉｇｈ−ｄｅｆｉｎｉｔｉｏｎ  Ｖｅｒｓａｔｉｌｅ  Ｄｉｓｃ）、ＶＭＤ（Ｖｅｒｓａｔｉｌｅ  ＭｕｌｔｉＬａｙｅｒ  Ｄｉｓｃ）、ＵＭＤ（Ｕｎｉｖｅｒｓａｌ  Ｍｅｄｉａ  Ｄｉｓｃ）或いはＢＤ（Ｂｌｕ−ｒａｙ（登録商標）Ｄｉｓｃ）のそのうちいずれかの光学保存ディスク（Ｏｐｔｉｃａｌ  Ｄｉｓｃ）規格とされる。
【００２１】
本発明の光学保存装置１０は環形の基板層１３を具え、上述の基板層１３の中央には開孔１４があり、且つ表面にオリジナルデータコード１６（図６Ａを参照されたい）を具えたデータ構造層１２が形成され、上述のデータ構造層１２の書込み形式、方法は国際標準といずれも同じであり、これにより、市場のディスクドライブでいずれも読み取れる。上述のデータ構造層１２の表面に、別に光線照射に影響を与える偏光層１１が形成され、上述の光学読取り装置２０がデータ構造層１２を読み取る時、上述の偏光層１１の作用下で、オリジナルデータコード１６は別の実体データコード１７（図６Ｂ参照）に変換される。このほか、上述の偏光層１１の外部に別に透明な保護層１５が設けられて、上述の偏光層１１とデータ構造層１２が引っ掻き傷を受けて光学読取り装置２０が順調にデータにアクセスできなくなるのを防止する。
【００２２】
実行可能な実施例において、上述の偏光層１１はスプレー、貼り付け、或いはスパッタ或いはその他の異なる方法で上述のデータ構造層１２の上方に設置されて、光線変化を形成し、こうして、単一の光学保存装置１０が上述の偏光層１１の作用下で、上述の光学読取り装置２０にアクセス時に二種類の異なるデータコードを取得させる。
【００２３】
図３を参照されたい。第１の好ましい実施例において、本発明の光学保存装置１０の偏光層１１はホトセンシティブ塗料或いは光減衰性塗料のいずれかの永久性変化塗料が使用される。
【００２４】
そのコピー防止方法は以下のとおりである。光学保存装置１０のデータ構造層１２の表面に、光線変化を形成する偏光層１１が設置され、そのうち、上述の偏光層１１はホトセンシティブ或いは光減衰性塗料とされる。上述の光学保存装置１０に光学読取り装置２０が組み合わされて、光学読取り装置２０が光線を投射し、上述の偏光層１１を通して上述のデータ構造層１２にアクセスする。上述の光学読取り装置２０が上述の偏光層１１変化の設定読み取り回数を超過しない時、上述の光学読取り装置２０は、オリジナルデータコード１６を取得する。上述の光学読取り装置２０が上述の偏光層１１変化の設定読み取り回数を超過した後、上述の偏光層１１は上述のオリジナルデータコード１６を永久的に変換して別の実体データコード１７となし、並びに上述の光学読取り装置２０に上述の実体データコード１７を取得させる。
【００２５】
こうして、光学保存装置１０の読み取り回数を制限して合法授権の判断基準となし、もし、塗料の設定読み取り回数を超過していなければ、上述の光学読取り装置２０はプログラムを組み合わせて上述のオリジナルデータコード１６が合法データであると判断する。ただし、もし塗料の設定読み取り回数を超過していれば、上述の偏光層１１は光線に影響して変化させ、上述の光学読取り装置２０はプログラムにより上述の実体データコード１７が非合法データであると判断する。
【００２６】
図４を参照されたい。第２の好ましい実施例において、本発明の光学保存装置１０の偏光層１１には周期性の一時性変化塗料が採用される。
【００２７】
そのコピー防止方法は以下のとおりである。光学保存装置１０のデータ構造層１２の表面に、光線変化を形成する偏光層１１が設置される。そのうち、上述の偏光層１１は周期性塗料とされる。上述の光学保存装置１０に光学読取り装置２０が組み合わされて、光学読取り装置２０が光線を投射して上述の偏光層１１を通して上述のデータ構造層１２にアクセスする。上述の光学読取り装置２０が上述の偏光層１１変化の設定読み取り回数を超過しない時、上述の光学読取り装置２０はオリジナルデータコード１６を取得する。上述の光学読取り装置２０が上述の偏光層１１が変化する設定読み取り回数を超過した時、上述の偏光層１１は上述のオリジナルデータコード１６を一時的に別の実体データコード１７に変換し、並びに上述の光学読取り装置２０に上述の実体データコード１７を取得させる。上述の光学保存装置１０に設定時間内にそれ以上光線が投射されない時、上述の実体データコード１７は上述のオリジナルデータコード１６に回復する。
【００２８】
こうして、プログラム上の設計により、上述の光学読取り装置２０がアクセスする過程で、光学アクセスがもともと光学保存装置１０に設定された読み取り回数を超過すると、光学読取り装置２０は正確なデータの実体データコード１７を取得し、一般の光学コピー装置は上述の光学読取り装置２０が偏光層１１の保護機能を具備することがわからないため、特殊な重複読み取りメカニズムにより正確なデータを取得することはできず、それはわずかにエラーデータのオリジナルデータコード１６を直接コピーするだけであり、一般のディスク読み取り装置で実行することはできず、光学保存装置１０が不肖なユーザーにより違法コピーされるのを防止し、有効に創作者の著作財産を保護する。
【００２９】
図５Ａから図５Ｂを参照されたい。前述の二つの好ましい実施方法において、本発明の偏光層１１は、単純に上述のデータ構造層１２の局部領域上に設置可能であり、上述の偏光層１１は、最も内側の局部データ領域或いは中央局部データ領域に設けることができる。また、図５Ｃに示されるように、当然、上述の偏光層１１はまた、完全に上述のデータ構造層１２の全部領域を密封するように被覆してもよい。このほか、上述の偏光層１１は、当然、複数が、上述のデータ構造層１２の非連続局部領域（図示せず）に位置するように設置され得る。
【００３０】
図６Ａを参照されたい。上述の光学読取り装置２０の光線投射が設定読み取り回数を超過していない時、上述の偏光層１１は上述の光学読取り装置２０の投射光線に影響を与えない。この時、上述の光学読取り装置２０は上述のオリジナルデータコード１６を読み取りデコードする。
【００３１】
図６Ｂを参照されたい。上述の光学読取り装置２０の光線投射が設定読み取り回数を超過した時、上述の偏光層１１は永久性或いは一時性の反応を発生し、上述の光学読取り装置２０の投射光線に影響を与える。このとき、上述の光学読取り装置２０は、上述のオリジナルデータコードとは異なる実体データコード１７を読み取りデコードする。
【００３２】
これにより、光学読取り装置２０が重複して読み取りを行う時、それは上述のオリジナルデータコード１６或いは実体データコード１７をデコードし得て、アプリケーションプログラムによる判別の後、上述のオリジナルデータコード１６と実体データコード１７の差異性を取得して、上述の偏光層１１が存在するか否かを確認できる。不肖なユーザーが違法にコピーしたディスクは本発明の偏光構造を発生できないため、光学保存装置１０上に偏光層１１を具備するか否かを判断することで、合法使用であるか否かを知ることができる。
【００３３】
総合すると、本発明の光学保存装置のコピー防止方法は、ディスク生産時に、表面に、ホトセンシティブ、光減衰性、或いは周期性の塗料、シール、或いは十分に光線変化を形成できる任意の偏光材料を添加することにより、光学保存装置に、正常に重複して同一ブロックが読み取られる時に、強光照射により、透明、反射或いは屈折等の偏光効果を発生させて、判読結果に影響を与えさせる。不肖なユーザーは、ディスクをコピーする時に、この構造を発生させられないため、すなわち、それが違法なコピーバージョンであると判断できる。
【００３４】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００３５】
１０  光学保存装置
１１  偏光層
１２  データ構造層
１３  基板層
１４  開孔
１５  保護層
１６  オリジナルデータコード
１７  実体データコード
２０  光学読取り装置
２１  読み取りヘッド
【図１】
2014002828.tif 000003
【図２】
2014002828.tif 000004
【図３】
2014002828.tif 000005
【図４】
2014002828.tif 000006
【図５Ａ】
2014002828.tif 000007
【図５Ｂ】
2014002828.tif 000008
【図５Ｃ】
2014002828.tif 000009
【図６Ａ】
2014002828.tif 000010
【図６Ｂ】
2014002828.tif 000011